(57)【特許請求の範囲】
【請求項１】
バンドパスフィルタとバンドストップフィルタとを備えたマルチプレクサであって、前記マルチプレクサはアンテナに通信可能に結合されるように構成され、前記バンドパスフィルタが、パスバンド内の周波数の信号を非減衰で通過させ、前記パスバンド外の周波数の信号を減衰させるように構成され、前記バンドストップフィルタが、前記パスバンドの少なくとも一部分における周波数の信号を減衰させ、前記パスバンド外の周波数を非減衰で通過させるように構成される、マルチプレクサと、
第１の受信帯域内の第１の受信信号を受信し、前記第１の受信帯域とは異なる第２の受信帯域内の第２の受信信号を受信するために、前記マルチプレクサに通信可能に結合された第１および第２の受信フィルタであって、前記第１および第２の受信フィルタは前記第１および第２の受信帯域外の周波数の信号をそれぞれ減衰させるように構成される、第１および第２の受信フィルタと、
前記マルチプレクサに通信可能に結合され、第１の送信帯域外の周波数の信号を減衰させるために前記第１の送信帯域内の第１の送信信号をフィルタ処理し、第２の送信帯域外の周波数の信号を減衰させるために前記第１の送信帯域とは異なる前記第２の送信帯域内の第２の送信信号をフィルタ処理し、前記第１および第２の送信信号が前記アンテナを介して送信されるように前記第１および第２のフィルタ処理された信号を前記マルチプレクサに結合するように構成される、第１および第２の送信フィルタと
を備え、
前記第１の受信帯域および前記第１の送信帯域の少なくとも１つが前記パスバンドに位置し、前記第２の受信帯域と前記第２の送信帯域との間に混在し、
前記バンドストップフィルタが、前記第２の送信帯域または第２の受信帯域を通過させるローパスフィルタと、前記第２の受信帯域または第２の送信帯域を通過させるハイパスフィルタとで構成される、
周波数分割（ＦＤ）多重化デバイス。
【請求項２】
前記第１の送信フィルタおよび前記第１の受信フィルタがデュプレクサに含まれる、請求項１に記載のＦＤ多重化デバイス。
【請求項３】
前記第１の受信帯域および前記第１の送信帯域が、前記マルチプレクサの前記バンドパスフィルタの前記パスバンド内にある、請求項２に記載のＦＤ多重化デバイス。
【請求項４】
前記第１および第２の送信フィルタに通信可能に結合され、前記第１および第２の送信信号をそれぞれ前記第１および第２の送信フィルタに結合するように構成される、第１および第２の送信機と、
前記第１および第２の受信フィルタに通信可能に結合され、前記第１および第２の受信フィルタから、それぞれ前記第１および第２のフィルタ処理された受信信号を受信するように構成される、第１および第２の受信機と
をさらに備える請求項１に記載のＦＤ多重化デバイス。
【請求項５】
前記アンテナから離間した空間ダイバーシティアンテナに結合されたＦＤダイプレクサと、
前記ＦＤダイプレクサに結合された第３および第４の受信フィルタであって、前記第３および第４の受信フィルタは前記空間ダイバーシティアンテナから前記第１および第２の受信信号の空間的ダイバースのバージョンを受信し、前記第１および第２の受信帯域外の周波数の信号をそれぞれ減衰させ、前記第１および第２の受信信号の前記フィルタ処理された空間的ダイバースのバージョンをそれぞれ前記第１および第２の受信機に結合するように構成される、第３および第４の受信フィルタと
をさらに備える請求項４に記載のＦＤ多重化デバイス。
【請求項６】
前記第１および第２の受信フィルタならびに前記第１および第２の送信フィルタがバンドパスフィルタである、請求項１に記載のＦＤ多重化デバイス。
【請求項７】
周波数分割（ＦＤ）多重化の方法であって、
アンテナに通信可能に結合されるように構成される第１の入力を介して複合信号を受信することと、
第１の送信帯域外の周波数の信号を減衰させるために、前記第１の送信帯域内の第１の送信信号をフィルタ処理することと、
第２の送信帯域外の周波数の信号を減衰させるために、前記第１の送信帯域とは異なる前記第２の送信帯域内の第２の送信信号をフィルタ処理することと、
前記複合信号ならびに前記第１および第２のフィルタ処理された送信信号をマルチプレクサに結合することと、
前記複合信号ならびに前記第１および第２のフィルタ処理された送信信号を前記マルチプレクサでマルチプレクサフィルタ処理することであって、
パスバンド内の周波数を非減衰で通過させ、前記パスバンド外の周波数の信号を減衰させるためにバンドパスフィルタ処理することと、
前記パスバンドの少なくとも一部分における周波数の信号を減衰させ、前記パスバンド外の周波数を非減衰で通過させるためにバンドストップフィルタ処理することと
を備えるマルチプレクサフィルタ処理することと、
前記第１および第２の送信信号が前記アンテナを介して送信されるように、前記マルチプレクサフィルタ処理された第１および第２の送信信号を出力に結合することと、
前記マルチプレクサフィルタ処理された複合信号の第１の部分を第１の受信フィルタに結合することであって、前記第１の部分は第１の受信帯域内の第１の受信信号を備え、前記第１の受信フィルタは前記第１の受信帯域外の周波数の信号を減衰させるように構成される、第１の受信フィルタに結合することと、
前記マルチプレクサフィルタ処理された複合信号の第２の部分を第２の受信フィルタに結合することであって、前記第２の部分は前記第１の受信帯域とは異なる第２の受信帯域内の第２の受信信号を備え、前記第２の受信フィルタは前記第２の受信帯域外の周波数の信号を減衰させるように構成される、第２の受信フィルタに結合することと
を備え、
前記第１の受信帯域および前記第１の送信帯域の少なくとも１つが前記パスバンドに位置し、前記第２の受信帯域と前記第２の送信帯域との間に混在し、
前記バンドストップフィルタ処理することが、前記第２の送信帯域または第２の受信帯域を通過させるローパスフィルタ処理することと、前記第２の受信帯域または第２の送信帯域を通過させるハイパスフィルタ処理することとで構成される、
周波数分割（ＦＤ）多重化の方法。
【請求項８】
前記第１の送信フィルタおよび前記第１の受信フィルタがデュプレクサに含まれる、請求項７に記載の方法。
【請求項９】
前記第１の受信帯域および前記第１の送信帯域が前記パスバンド内にある、請求項７に記載の方法。
【請求項１０】
第１の送信機から前記第１の送信フィルタで前記第１の送信信号を受信することと、
前記第１の送信機とは別個の第２の送信機から前記第２の送信フィルタで前記第２の送信信号を受信することと、
前記第１の受信フィルタでフィルタ処理した後、前記第１の受信フィルタからの前記第１の受信信号を第１の受信機に結合することと、
前記第２の受信フィルタでフィルタ処理した後、前記第２の受信フィルタからの前記第２の受信信号を第２の受信機に結合することと
をさらに備える請求項７に記載の方法。
【請求項１１】
前記アンテナから離間した空間ダイバーシティアンテナに通信可能に結合されるように構成される第２の入力を介して別の複合信号を受信することと、
第３および第４の受信フィルタを含むＦＤダイプレクサに前記別の複合信号を結合することと、
前記第１および第２の受信帯域外の周波数の信号をそれぞれ減衰させるために、前記第３および第４の受信フィルタで前記別の複合信号をフィルタ処理することと、
前記第１および第２の受信帯域内の前記フィルタ処理された信号を、それぞれ前記第１および第２の受信機に結合することと
をさらに備える請求項１０に記載の方法。
【請求項１２】
前記第１および第２の受信フィルタならびに前記第１および第２の送信フィルタがバンドパスフィルタである、請求項７に記載の方法。
【請求項１３】
前記第１の受信フィルタで前記第１の部分をフィルタ処理することと、
前記第２の受信フィルタで前記第２の部分をフィルタ処理することと
をさらに備える請求項７に記載の方法。
【請求項１４】
周波数分割（ＦＤ）多重化のための装置であって、
アンテナから信号を受信するための手段と、
第１の送信帯域外の周波数の信号を減衰させるために、前記第１の送信帯域内の第１の送信信号をフィルタ処理するための第１の送信フィルタ手段と、
第２の送信帯域外の周波数の信号を減衰させるために、前記第１の送信帯域とは異なる前記第２の送信帯域内の第２の送信信号をフィルタ処理するための第２の送信フィルタ手段と、
前記アンテナから受信された複合信号をフィルタ処理し、前記第１および第２の送信信号が前記アンテナを介して送信されるように、前記第１および第２のフィルタ処理された送信信号をフィルタ処理するための多重化フィルタ手段であって、前記多重化フィルタ手段は、
パスバンド内の周波数を非減衰で通過させ、前記パスバンド外の周波数を減衰させるためのバンドパスフィルタ手段と、
前記パスバンドの少なくとも一部分における周波数を減衰させ、前記パスバンド外の周波数を非減衰で通過させるためのバンドストップフィルタ手段と
を備える、多重化フィルタ手段と、
多重化フィルタ処理された前記複合信号の第１の部分をフィルタ処理するための第１の受信フィルタ手段であって、前記第１の部分は第１の受信帯域内の第１の受信信号を備え、前記第１の受信フィルタ手段は前記第１の受信帯域外の周波数の信号を減衰させるように構成される、第１の受信フィルタ手段と、
前記マルチプレクサフィルタ処理された前記複合信号の第２の部分をフィルタ処理するための第２の受信フィルタ手段であって、前記第２の部分は前記第１の受信帯域とは異なる第２の受信帯域内の第２の受信信号を備え、前記第２の受信フィルタ手段は前記第２の受信帯域外の周波数の信号を減衰させるように構成される、第２の受信フィルタ手段と
を備え、
前記第１の受信帯域および前記第１の送信帯域の少なくとも１つが前記パスバンドに位置し、前記第２の受信帯域と前記第２の送信帯域との間に混在し、
前記バンドストップフィルタ手段が、前記第２の送信帯域または第２の受信帯域を通過させるローパスフィルタ手段と、前記第２の受信帯域または第２の送信帯域を通過させるハイパスフィルタ手段とで構成される、
周波数分割（ＦＤ）多重化のための装置。
【請求項１５】
前記受信するための手段が入力を備える、請求項１４に記載の装置。
【請求項１６】
前記第１および第２の送信フィルタ手段の各々が、バンドパスフィルタ、ローパスフィルタ、またはハイパスフィルタのうちの少なくとも１つを備える、請求項１４に記載の装置。
【請求項１７】
前記多重化フィルタ手段がトリプレクサを備える、請求項１４に記載の装置。
【請求項１８】
前記第１および第２の受信フィルタ手段の各々が、バンドパスフィルタ、ローパスフィルタ、またはハイパスフィルタのうちの少なくとも１つを備える、請求項１４に記載の装置。
【請求項１９】
前記第１および第２の受信フィルタ手段が、前記第１および第２の部分をそれぞれ第１および第２の受信機に結合し、前記装置が、
前記アンテナから離間した空間ダイバーシティアンテナを介して別の複合信号を受信するための手段と、
前記第１および第２の受信帯域外の周波数の信号を減衰させるために前記別の複合信号をフィルタ処理するための手段と、
前記第１および第２の受信帯域内の前記フィルタ処理された信号を、それぞれ前記第１および第２の受信機に結合するための手段と
をさらに備える、請求項１４に記載の装置。
【請求項２０】
プロセッサ可読命令を記憶したプロセッサ可読記憶媒体であって、
前記プロセッサ可読命令が、プロセッサに、
複合信号を受信することと、
第１の送信帯域外の周波数の信号を減衰させるために、前記第１の送信帯域内の第１の送信信号をフィルタ処理することと、
第２の送信帯域外の周波数の信号を減衰させるために、前記第１の送信帯域とは異なる前記第２の送信帯域内の第２の送信信号をフィルタ処理することと、
前記複合信号ならびに前記第１および第２のフィルタ処理された送信信号をマルチプレクサでマルチプレクサフィルタ処理することであって、前記マルチプレクサが、
パスバンドの周波数の信号を非減衰で通過させ、前記パスバンド外の周波数の信号を減衰させるためにバンドパスフィルタ処理し、
阻止帯域の少なくとも一部分における周波数の信号を減衰させ、前記阻止帯域外の周波数の信号を非減衰で通過させるためにバンドストップフィルタ処理するように構成されることと、
前記第１および第２の送信信号がアンテナを介して送信されるように、前記マルチプレクサフィルタ処理された第１および第２の送信信号を出力に伝達することと、
前記マルチプレクサフィルタ処理された複合信号の第１の部分を第１の受信フィルタに伝達することであって、前記第１の部分は第１の受信帯域内の第１の受信信号を備え、前記第１の受信フィルタは前記第１の受信帯域外の周波数の信号を減衰させるように構成される、第１の受信フィルタに伝達することと、
前記マルチプレクサフィルタ処理された複合信号の第２の部分を第２の受信フィルタに伝達することであって、第２の部分は前記第１の受信帯域とは異なる第２の受信帯域内の第２の受信信号を備え、前記第２の受信フィルタは前記第２の受信帯域外の周波数の信号を減衰させるように構成される、第２の受信フィルタに伝達することと
を行わせるように構成され、
前記第１の受信帯域および前記第１の送信帯域の少なくとも１つが前記パスバンドに位置し、前記第２の受信帯域と前記第２の送信帯域との間に混在し、
前記バンドストップフィルタ処理が、前記第２の送信帯域または第２の受信帯域を通過させるローパスフィルタ処理と、前記第２の受信帯域または第２の送信帯域を通過させるハイパスフィルタ処理とで構成される、
プロセッサ可読記憶媒体。
【請求項２１】
前記第１の受信帯域および前記第１の送信帯域がマルチプレクサの前記パスバンド内にある、請求項２０に記載のプロセッサ可読記憶媒体。
【請求項２２】
前記プロセッサ可読命令が、前記プロセッサに、
第１の送信機から前記第１の送信信号を受信させることと、
前記第１の送信機とは別個の第２の送信機から前記第２の送信信号を受信させることと、
前記第１の受信フィルタでフィルタ処理した後、前記第１の受信信号を第１の受信機に伝達させることと、
前記第２の受信フィルタでフィルタ処理した後、前記第２の受信フィルタからの前記第２の受信信号を第２の受信機に伝達させることと
を行わせるように構成される、請求項２０に記載のプロセッサ可読記憶媒体。
【請求項２３】
前記プロセッサ可読命令が、前記プロセッサに、
前記複合信号に対応する空間的ダイバースの複合信号を受信させることと、
前記第１および第２の受信帯域外の周波数を減衰させるために、第３および第４の受信フィルタで空間的ダイバースの複合信号をフィルタ処理させることと、
前記第１および第２の受信帯域内の前記フィルタ処理された空間的ダイバースの信号を、それぞれ前記第１および第２の受信機に伝達させることと
を行わせるように構成される、請求項２２に記載のプロセッサ可読記憶媒体。
【請求項２４】
前記第１および第２の受信フィルタならびに前記第１および第２の送信フィルタがバンドパスフィルタである、請求項２０に記載のプロセッサ可読記憶媒体。
【請求項２５】
前記プロセッサ可読命令が、前記プロセッサに、
前記第１の受信フィルタで前記第１の部分をフィルタ処理させることと、
前記第２の受信フィルタで前記第２の部分をフィルタ処理させることと
を行わせるように構成される、請求項２０に記載のプロセッサ可読記憶媒体。
【発明の詳細な説明】
【背景技術】
【０００１】
[0001]  ワイヤレス通信システムは、音声、データ、ビデオ、ブロードバンドなどを含む多くのタイプのサービスを提供する。さらに、ワイヤレス通信は、パーソナルエリアネットワーク（ＰＡＮ）、ローカルエリアネットワーク（ＬＡＮ）、広域ネットワーク（ＷＡＮ）、メトロポリタンエリアネットワーク（ＭＡＮ）、セルラーネットワーク、衛星通信ネットワークなどを含む、異なる地理的範囲においてサービスを提供する。
【０００２】
[0002]  異なるタイプのサービスおよび異なるタイプの地理的カバレージは、異なる周波数帯域において異なって機能する。これらの異なるサービスおよびカバレージエリアを提供するために、多数の周波数帯域が確立されている。ワイヤレス通信が繁栄するにつれて、周波数帯域は、より混雑するようになり、多くの場合、複雑な方式で混在するようになった。
【０００３】
[0003]  様々な範囲のワイヤレス技術によって提供されるサービスの激増によって、すべてのタイプの至る所にあるワイヤレスサービスに対する消費者の要求は、複数のタイプの無線機（radio）を単一のデバイスに含めるよう、製造業者に求めている。単一のデバイスにおいて異なる周波数スペクトルを介して動作する異なる無線機は、単一デバイスにおいて複数のアンテナを必要とすることが多く、これは、必ずしも費用効果的であるとは限らず、または審美的に感じがよいとは限らない。
【０００４】
[0004]  複数の無線機が単一のアンテナを介して送受信できるようにするために、デュプレクサ、無線周波（ＲＦ）スイッチなどのデバイスが使用されている。しかしながら、より広い周波数範囲にわたる異なる周波数帯域が急増し、周波数帯域の混在（intermingling）が進むことによって、単一のデバイスにおいて複数の無線機に単一のアンテナを使用することは、はるかに困難になった。複数の大幅に異なるおよび／または混在する周波数帯域を分離するように動作可能なデュプレクサは、極めて費用がかかる、または実現不可能であり得る。
【発明の概要】
【０００５】
[0005]  単一のアンテナを介した２つのトランシーバとの同時通信を可能にする周波数分割多重化デバイスについて、本明細書で説明する。多重化デバイスは、混在する周波数帯域用の単一のアンテナとの同時の周波数分割多重化通信（frequency division multiplexed communication）を提供することができる。混在する周波数帯域は、第１のトランシーバに関連付けられた第１の受信帯域および／または第１の送信帯域が第２のトランシーバに関連付けられた第２の受信および送信帯域の間に位置するところを含む。
【０００６】
[0006]  周波数分割（ＦＤ：frequency division）多重化デバイスの一例には、バンドパスフィルタとバンドストップフィルタとを備えるマルチプレクサがある。マルチプレクサは、アンテナに通信可能に結合されるように構成される。バンドパスフィルタは、パスバンド内の周波数の信号を非減衰で通過させ、パスバンド外の周波数の信号を減衰させるように構成され、バンドストップフィルタは、パスバンドの少なくとも一部分における周波数の信号を減衰させ、パスバンド外の周波数を非減衰で通過させるように構成される。多重化デバイスは、第１の受信帯域内の第１の受信信号を受信し、第１の受信帯域とは異なる第２の受信帯域内の第２の受信信号を受信するために、マルチプレクサに通信可能に結合された第１および第２の受信フィルタも含む。第１および第２の受信フィルタは、それぞれ、第１および第２の受信帯域外の周波数の信号を減衰させるように構成される。マルチプレクサデバイスは、マルチプレクサに通信可能に結合された、第１の送信帯域外の周波数の信号を減衰させるために第１の送信帯域内の第１の送信信号をフィルタ処理し、第２の送信帯域外の周波数の信号を減衰させるために第１の送信帯域とは異なる第２の送信帯域内の第２の送信信号をフィルタ処理し、第１および第２の送信信号がアンテナを介して送信されるように第１および第２のフィルタ処理された送信信号をマルチプレクサに結合するように構成される第１および第２の送信フィルタをさらに含む。第１の受信帯域および第１の送信帯域の少なくとも１つはパスバンドに位置し、第２の受信帯域と第２の送信帯域との間に混在（intermingle）する。
【０００７】
[0007]  そのようなＦＤ多重化デバイスの実施形態は、以下の特徴のうちの１つまたは複数を含み得る。第１の送信フィルタおよび第１の受信フィルタがデュプレクサに含まれ得る。第１の受信帯域および第１の送信帯域は、マルチプレクサのバンドパスフィルタのパスバンド内にあり得る。多重化デバイスは、第１および第２の送信フィルタに通信可能に結合された第１および第２の送信機をさらに含み得、第１および第２の送信機は、第１および第２の送信信号をそれぞれ第１および第２の送信フィルタに結合するように構成される。多重化デバイスは、第１および第２の受信フィルタに通信可能に結合された第１および第２の受信機をさらに含み得、第１および第２の受信機は、第１および第２の受信フィルタからそれぞれ第１および第２のフィルタ処理された受信信号を受信するように構成される。多重化デバイスは、アンテナから離間した空間ダイバーシティアンテナに結合されたＦＤダイプレクサと、ＦＤダイプレクサに結合された第３および第４の受信フィルタとを含み、第３および第４の受信フィルタは、空間ダイバーシティアンテナから受信された第１および第２の受信信号の空間的ダイバース（spatially diverse）のバージョンを受信し、それぞれ第１および第２の受信帯域外の周波数の信号を減衰させ、第１および第２の受信信号のフィルタ処理された空間的ダイバースのバージョンをそれぞれ第１および第２の受信機に結合するように構成される。第１および第２の受信フィルタならびに第１および第２の送信フィルタは、バンドパスフィルタとすることができる。
【０００８】
[0008]  周波数分割（ＦＤ）多重化の方法の一例は、アンテナに通信可能に結合されるように構成される第１の入力を介して複合信号を受信することと、第１の送信帯域外の周波数の信号を減衰させるために、第１の送信帯域内の第１の送信信号をフィルタ処理することと、第２の送信帯域外の周波数の信号を減衰させるために、第１の送信帯域とは異なる第２の送信帯域内の第２の送信信号をフィルタ処理することと、複合信号ならびに第１および第２のフィルタ処理された送信信号をマルチプレクサに結合することとを含む。方法は、複合信号ならびに第１および第２のフィルタ処理された送信信号をマルチプレクサでマルチプレクサフィルタ処理（multiplexer-filtering）することをさらに含み、マルチプレクサフィルタ処理することが、パスバンド内の周波数を非減衰で通過させ、パスバンド外の周波数の信号を減衰させるためにバンドパスフィルタ処理（band-pass filtering）することと、パスバンドの少なくとも一部分における周波数の信号を減衰させ、パスバンド外の周波数を非減衰で通過させるためにバンドストップフィルタ処理することとを含む。方法は、第１および第２の送信信号がアンテナを介して送信されるように、マルチプレクサフィルタ処理された第１および第２の送信信号を出力に結合することと、マルチプレクサフィルタ処理された複合信号の、第１の受信帯域内の第１の受信信号を備える第１の部分を第１の受信フィルタに結合することであって、第１の受信フィルタが第１の受信帯域外の周波数の信号を減衰させるように構成されることと、マルチプレクサフィルタ処理された複合信号の、第１の受信帯域とは異なる第２の受信帯域内の第２の受信信号を備える第２の部分を第２の受信フィルタに結合することであって、第２の受信フィルタが第２の受信帯域外の周波数の信号を減衰させるように構成されることとをさらに含む。第１の受信帯域および第１の送信帯域の少なくとも１つはパスバンドに位置し、第２の受信帯域と第２の送信帯域との間に混在する。
【０００９】
[0009]  ＦＤ多重化のそのような方法の実施形態は、以下の特徴のうちの１つまたは複数を含み得る。第１の送信フィルタおよび第１の受信フィルタがデュプレクサに含まれ得る。第１の受信帯域および第１の送信帯域は、パスバンド内にあり得る。方法は、第１の送信機から第１の送信フィルタで第１の送信信号を受信することと、第１の送信機とは別個の第２の送信機から第２の送信フィルタで第２の送信信号を受信することと、第１の受信フィルタでフィルタ処理した後、第１の受信フィルタからの第１の受信信号を第１の受信機に結合することと、第２の受信フィルタでフィルタ処理した後、第２の受信フィルタからの第２の受信信号を第２の受信機に結合することとをさらに含み得る。方法は、アンテナから離間した空間ダイバーシティアンテナに通信可能に結合されるように構成される第２の入力を介して別の複合信号（composite signal）を受信することと、第３および第４の受信フィルタを含むＦＤダイプレクサに別の複合信号を結合することと、それぞれ第１および第２の受信帯域外の周波数の信号を減衰させるために、第３および第４の受信フィルタで別の複合信号をフィルタ処理することと、第１および第２の受信帯域内のフィルタ処理された信号を、それぞれ第１および第２の受信機に結合することとをさらに含み得る。第１および第２の受信フィルタならびに第１および第２の送信フィルタは、バンドパスフィルタとすることができる。方法は、第１の受信フィルタで第１の部分をフィルタ処理することと、第２の受信フィルタで第２の部分をフィルタ処理することとをさらに含み得る。
【００１０】
[0010]  周波数分割（ＦＤ）多重化のための装置の一例は、アンテナから信号を受信するための手段と、第１の送信帯域外の周波数の信号を減衰させるために、第１の送信帯域内の第１の送信信号をフィルタ処理するための第１の送信フィルタ手段と、第２の送信帯域外の周波数の信号を減衰させるために、第１の送信帯域とは異なる第２の送信帯域内の第２の送信信号をフィルタ処理するための第２の送信フィルタ手段と、アンテナから受信された複合信号をフィルタ処理し、第１および第２の送信信号がアンテナを介して送信されるように、第１および第２のフィルタ処理された送信信号をフィルタ処理するための多重化フィルタ手段（multiplexing filter means）とを含む。多重化フィルタ手段は、パスバンド内の周波数を非減衰で通過させ、パスバンド外の周波数を減衰させるためのバンドパスフィルタ手段と、パスバンドの少なくとも一部分における周波数を減衰させ、パスバンド外の周波数を非減衰で通過させるためのバンドストップフィルタとを含む。ＦＤ多重化のための装置は、マルチプレクサフィルタ処理された複合信号の、第１の受信帯域内の第１の受信信号を備える第１の部分をフィルタ処理するための第１の受信フィルタ手段であって、第１の受信帯域外の周波数の信号を減衰させるように構成される、第１の受信フィルタ手段と、マルチプレクサフィルタ処理された複合信号の、第１の受信帯域とは異なる第２の受信帯域内の第２の受信信号を備える第２の部分をフィルタ処理するための第２の受信フィルタ手段であって、第２の受信帯域外の周波数の信号を減衰させるように構成される、第２の受信フィルタ手段とをさらに含む。第１の受信帯域および第１の送信帯域の少なくとも１つはパスバンドに位置し、第２の受信帯域と第２の送信帯域との間に混在する。
【００１１】
[0011]  ＦＤ多重化のためのそのような装置の実施形態は、以下の特徴のうちの１つまたは複数を含み得る。受信手段は、入力とすることができる。第１および第２の送信フィルタ手段の各々は、バンドパスフィルタ、ローパスフィルタまたはハイパスフィルタとすることができる。多重化フィルタ手段は、トリプレクサとすることができる。第１および第２の受信フィルタ手段の各々は、バンドパスフィルタ、ローパスフィルタまたはハイパスフィルタとすることができる。第１および第２の受信フィルタ手段は、第１および第２の部分をそれぞれ第１および第２の受信機に結合することができ、装置は、アンテナから離間した空間ダイバーシティアンテナを介して別の複合信号を受信するための手段と、第１および第２の受信帯域外の周波数の信号を減衰させるために別の複合信号をフィルタ処理するための手段と、第１および第２の受信帯域内のフィルタ処理された信号を、それぞれ第１および第２の受信機に結合するための手段とをさらに含み得る。
【００１２】
[0012]  例示的なコンピュータプログラム製品は、プロセッサに、複合信号を受信することと、第１の送信帯域外の周波数の信号を減衰させるために、第１の送信帯域内の第１の送信信号をフィルタ処理させ、第２の送信帯域外の周波数の信号を減衰させるために、第１の送信帯域とは異なる第２の送信帯域内の第２の送信信号をフィルタ処理させ、複合信号ならびに第１および第２のフィルタ処理された送信信号をマルチプレクサでマルチプレクサフィルタ処理させるように構成されたプロセッサ可読命令を記憶するプロセッサ可読媒体を含む。プロセッサ可読命令は、マルチプレクサに、パスバンドの周波数の信号を非減衰で通過させ、パスバンド外の周波数の信号を減衰させるためにバンドパスフィルタ処理することと、阻止帯域（stop-band）の少なくとも一部分における周波数の信号を減衰させ、阻止帯域外の周波数の信号を非減衰で通過させるためにバンドストップフィルタ処理することと、第１および第２の送信信号がアンテナを介して送信されるように、マルチプレクサフィルタ処理された第１および第２の送信信号を出力に伝達することと、マルチプレクサフィルタ処理された複合信号の、第１の受信帯域内の第１の受信信号を備える第１の部分を第１の受信フィルタに伝達することであって、第１の受信フィルタが第１の受信帯域外の周波数の信号を減衰させるように構成されることと、マルチプレクサフィルタ処理された複合信号の、第１の受信帯域とは異なる第２の受信帯域内の第２の受信信号を備える第２の部分を第２の受信フィルタに伝達することであって、第２の受信フィルタが第２の受信帯域外の周波数の信号を減衰させるように構成されることとを行わせるように構成される。第１の受信帯域および第１の送信帯域の少なくとも１つはパスバンドに位置し、第２の受信帯域と第２の送信帯域との間に混在する。
【００１３】
[0013]  そのようなコンピュータプログラム製品の実施形態は、以下の特徴のうちの１つまたは複数を含み得る。第１の受信帯域および第１の送信帯域は、マルチプレクサのパスバンド内にあり得る。命令は、プロセッサに、第１の送信機から第１の送信信号を受信させ、第１の送信機とは別個の第２の送信機から第２の送信信号を受信させ、第１の受信フィルタでフィルタ処理した後、第１の受信信号を第１の受信機に伝達させ、第２の受信フィルタでフィルタ処理した後、第２の受信フィルタからの第２の受信信号を第２の受信機に伝達させるように構成され得る。命令は、プロセッサに、複合信号に対応する空間的ダイバースの複合信号を受信させ、第１および第２の受信帯域外の周波数を減衰させるために、第３および第４の受信フィルタで空間的ダイバースの複合信号をフィルタ処理させ、第１および第２の受信帯域内のフィルタ処理された空間的ダイバースの信号を、それぞれ第１および第２の受信機に伝達させるように構成され得る。第１および第２の受信フィルタならびに第１および第２の送信フィルタは、バンドパスフィルタとすることができる。命令は、プロセッサに、第１の受信フィルタで第１の部分をフィルタ処理させ、第２の受信フィルタで第２の部分をフィルタ処理させるように構成され得る。
【００１４】
[0014]  本開示の部材および／または技法は、次の特徴のうちの１つまたは複数を与える。たとえばトリプレクサなど、あまり高価でないマルチプレクサを、低コストの送信フィルタおよび受信フィルタとの組合せで、高コストのデュプレクサの代わりに使用することができる。多重化マルチバンドモバイル通信のために単一アンテナを使用することができ、アンテナダイバーシティを有するデバイスで、４つのアンテナの代わりに、２つの空間的ダイバースアンテナを使用することができる。
【図面の簡単な説明】
【００１５】
【図１】[0015]  複数のワイヤレスネットワークと同時に通信する移動局の簡略機能ブロック図。
【図２】[0016]  周波数分割多重化デバイスを有する移動局の簡略機能ブロック図。
【図３】[0017]  周波数分割多重化デバイスの簡略機能ブロック図。
【図４】[0018]  周波数分割多重化デバイスの簡略機能ブロック図。
【図５】[0019]  周波数分割多重化デバイスにおいて使用されるフィルタの簡略周波数応答のグラフ。
【図６】[0020]  周波数分割多重化デバイスにおける信号の信号処理の簡略フローチャート。
【図７】[0021]  さらに別の周波数分割多重化デバイスの簡略機能ブロック図。
【図８】[0022]  周波数分割多重化デバイスにおける空間的ダイバースの受信信号の信号処理の簡略フローチャート。
【発明を実施するための形態】
【００１６】
[0023]  単一アンテナを介して混在する周波数帯域を同時に送信および受信するための周波数分割（ＦＤ）多重化デバイスが提供される。ＦＤ多重化デバイスは、たとえばトリプレクサなどのマルチプレクサを含む。マルチプレクサは、複合受信信号を受信するためのアンテナに、通信可能に結合される。マルチプレクサは、パスバンド内の周波数の信号を非減衰で通過させ、パスバンド外の周波数の信号を減衰させるように構成されるバンドパスフィルタを含む。マルチプレクサは、パスバンドの少なくとも一部分における周波数の信号を減衰させ、パスバンド外の周波数の信号を非減衰で通過させるように構成されるバンドストップフィルタも含む。多重化デバイスは、第１の受信帯域内の第１の受信信号を受信し、第２の受信帯域内の第２の受信信号を受信するために、マルチプレクサに通信可能に結合された第１および第２の受信フィルタを含む。第１および第２の受信フィルタは、それぞれ、第１および第２の受信帯域外の周波数の信号を減衰させるように構成される。マルチプレクサデバイスは、マルチプレクサに通信可能に結合された第１および第２の送信フィルタをさらに含む。第１の送信フィルタは、第１の送信帯域外の周波数の信号を減衰させるために、第１の送信帯域内の第１の送信信号をフィルタ処理する。第２の送信信号は、第２の送信帯域外の周波数の信号を減衰させるために、第１の送信帯域とは異なる第２の送信帯域内の第２の送信信号をフィルタ処理する。フィルタ処理された送信信号は、第１および第２の送信信号がアンテナを介して送信されるように、マルチプレクサに伝達される。マルチプレクサ、受信フィルタおよび送信フィルタは、ＦＤ多重化デバイスが単一アンテナを介して混在する周波数帯域内の信号を同時に送信および受信できるように構成される。
【００１７】
[0024]  移動局（ＭＳ：mobile station）は、セルラーまたは他のワイヤレス通信デバイス、パーソナル通信システム（ＰＣＳ）デバイス、パーソナルナビゲーションデバイス（ＰＮＤ）、個人情報マネージャ（ＰＩＭ）、携帯情報端末（ＰＤＡ）、ラップトップまたはワイヤレス通信および／またはナビゲーション信号を受信することが可能な他の適切なモバイルデバイスなどのデバイスを指す。
【００１８】
[0025]  「移動局（mobile station）」という用語は、また、衛星信号受信、支援データ受信、および／または位置に関係する処理が当該デバイスで発生するかパーソナルナビゲーションデバイス（ＰＮＤ）で発生するかにかかわらず、短距離ワイヤレス、赤外線、ワイヤライン接続、または他の接続などによる、ＰＮＤと通信するデバイスも含む。また、「移動局」は、インターネット、ＷｉＦｉ、または他のネットワークなどを介してサーバとの通信が可能で、衛星信号受信、支援データ受信、および／または位置に関係する処理が当該デバイスで発生するか、サーバで発生するか、またはネットワークに結び付いた別のデバイスで発生するかに関係なく、ワイヤレス通信デバイス、コンピュータ、ラップトップなどを含むすべてのデバイスを含む。上記の任意の動作可能な組合せも「移動局」である。
【００１９】
[0026]  図１を参照すると、ワイヤレスネットワーク１０の一実施形態の簡略機能ブロック図は、基地局１４およびワイヤレスアクセスポイント１６によって表される複数のワイヤレスネットワークと同時に通信するように構成される移動局１２を含む。基地局１４は、セルラーネットワークの一部とすることができる。基地局１４は、電話ネットワーク１７（たとえば、公衆交換電話網）およびパケットベースネットワーク（たとえば、インターネット）１９に通信可能に結合される。ワイヤレスアクセスポイント１６は、ワイヤレスＬＡＮ、ＭＡＮ、ＷＡＮまたは他のワイヤレスネットワークの一部とすることができる。ワイヤレスアクセスポイント１６は、デジタルネットワーク２１に通信可能に結合される。
【００２０】
[0027]  図２を参照すると、移動局１２の一実施形態は、示される機能ブロックを含む。移動局は、プロセッサ２０５とメモリ２１０とを含む。メモリ２１０は、ランダムアクセスメモリ（ＲＡＭ）と読取り専用メモリ（ＲＯＭ）とを含む。メモリ２１０は、実行されるとプロセッサ２０５に本明細書で説明する様々な機能を実行させるように構成された命令を含んでいるプロセッサ可読、プロセッサ実行可能ソフトウェアコード２１２を備える非一時的コンピュータプログラム製品を記憶する。代替的に、ソフトウェアは、プロセッサ２０５によって直接実行可能でないことがあるが、たとえば、命令がコンパイルされ実行されると、プロセッサ２０５に本明細書で説明される機能を実行させるように構成され得る。プロセッサ２０５は、第１のトランシーバ２２０（第１の送信機と第１の受信機とを含む）および第２のトランシーバ２２５（第２の送信機と第２の受信機とを含む）に結合される。プロセッサ２０５は、それぞれ第１および第２のトランシーバ２２０および２２５に、周波数分割（ＦＤ）マルチプレクサ２３０および単一アンテナ２３５に送信され、そこから受信されるデータを同時に変調し、復調させるように構成される。送信されるデータは、データソース／リポジトリ２１５から受信される。受信データは、メモリに記憶される、または１つもしくは複数の方法で（たとえば、可聴的に、視覚的になど）表示されるように、データソース／リポジトリ２１５に通信される。
【００２１】
[0028]  ＦＤマルチプレクサ２３０は、第１および第２の送信帯域、ならびに第１および第２の受信周波数帯域における送信および受信信号の同時のＦＤ多重化を提供するように構成される。第１の受信および送信帯域は、基地局１４と通信するためのモバイルワイヤレス帯域とすることができる。モバイルワイヤレス帯域は、パーソナル通信サービス（ＰＣＳ）帯域における周波数を含み得る。ＰＣＳ帯域は、１８５０ＭＨｚからの１９１０ＭＨｚまでのアップリンク（移動局から基地局へ）、および１９３０ＭＨｚから１９９０ＭＨｚまでのダウンリンク（基地局から移動局へ）の２つのセグメントの周波数を使用する。第２の受信および送信帯域は、Ａｄｖａｎｃｅｄ  Ｗｉｒｅｌｅｓｓ  ＳｅｒｖｉｃｅｓつまりＡＷＳ帯域にあり得る。ＡＷＳ帯域は、１７１０ＭＨｚから１７５５ＭＨｚまでのアップリンク帯域および２１１０ＭＨｚから２１５５ＭＨｚまでのダウンリンク帯域の２つのセグメントの周波数を使用する。ＡＷＳ周波数帯域がＰＣＳ周波数帯域をまたぐので、周波数帯域は混在する（intermingled）と言われる。ＰＣＳおよびＡＷＳ帯域のようにともに近い混在する周波数帯域は、単一アンテナを介して送信／受信することは困難であり、通常、２つのアンテナが使用される。しかしながら、本明細書で説明する実施形態は、間隔が密な混在する周波数帯域に単一アンテナ２３５を使用する。
【００２２】
[0029]  図３を参照すると、混在しない周波数帯域とともに使用するためのＦＤ多重化デバイス３００は、第１の無線機３０５および第２の無線機３１０とを含む２つの無線機と、２つのＦＤデュプレクサフィルタ３１５および３２０と、ダイプレクサ３２５とを含む。多重化デバイス３００の構成要素３０５、３１０、３１５、３２０および３２５は、プロセッサ、ファームウェア、ハードウェア（手動制御を含む）、固定論理回路、またはそれらの任意の組合せによって実行されるソフトウェアを含み得る。
【００２３】
[0030]  第１の無線機３０５は、第１のデュプレクサ３１５に通信可能に結合された第１の送信機３０７と第１の受信機３０９とを含む。第２の無線機３１０は、第２のデュプレクサ３２０に通信可能に結合された第２の送信機３１２と第２の受信機３１４とを含む。送信機３０７および３１２は、それぞれ、デュプレクサ３１５および３２０に送信される変調信号を供給し、受信機３０９および３１４は、それぞれ、デュプレクサ３１５および３２０から入って来る変調信号を受信する。
【００２４】
[0031]  第１の無線機３０５は、第１のアップリンクつまりＵＬ帯域上で信号を送信し、第１のダウンリンクつまりＤＬ帯域上で信号を受信する。第２の無線機３１０は、第２のＵＬ帯域上で信号を送信し、第２のＤＬ帯域上で信号を受信する。第１および第２のＵＬおよびＤＬ帯域は、異なる周波数帯域であり、たとえば、第１の無線機は、８２４ＭＨｚから８９４ＭＨｚ）までのセルラー帯域を使用することができ、第２の無線機３１０は、１８５０ＭＨｚから１９９０ＭＨｚまでのＰＣＳ帯域を使用することができる。セルラーおよびＰＣＳ周波数範囲は、混在しない。第１のデュプレクサ３１５は、セルラー帯域に位置する第１のＵＬおよびＤＬ周波数を中心とするバンドパスフィルタを使用することができ、第２のデュプレクサ３２０は、第２のＵＬおよびＤＬ周波数を中心とするバンドパスフィルタを使用することができる。デュプレクサは、薄膜バルク音響共振器（ＦＢＡＲ：thin-film bulk acoustic resonator）および／または表面弾性波（ＳＡＷ：surface acoustic wave）技術を使用するフィルタを使用することができる。送信および受信信号の隔離のための除去パラメータ（rejection parameter）は、通常、約５０ｄＢから約６０ｄＢまでの範囲に含まれるが、約２０ｄＢから約１００ｄＢまでとすることができる。
【００２５】
[0032]  ダイプレクサ３２５は、第１および第２の無線機３０５および３１０へおよびそれからの信号をアンテナ３３０に結合するために使用される。ダイプレクサ３２５は、ＲＦスイッチと交換され、単一網の送信／受信に使用することができる。ダイプレクサ３２５は、ローパスフィルタ（またはハイパスフィルタ）で第１の無線機３０５に関連付けられた第１の送信および受信信号をフィルタ処理し、ハイパスフィルタ（またはローパスフィルタ）で第２の無線機３１０に関連付けられた第２の送信および受信信号をフィルタ処理する。ダイプレクサは、デュプレクサフィルタと比較して信号のより穏やかな除去（rejection）を提供する。ダイプレクサフィルタは、セラミックベースとすることができ、デュプレクサよりもかなりコストが低い。
【００２６】
[0033]  ダイプレクサ３２５のようなダイプレクサは、たとえばセルラーおよびＰＣＳ帯域など、あまり近くない混在しない周波数帯域で問題なく働く一方、ダイプレクサ３２５は、たとえばＡＷＳおよびＰＣＳ周波数など、混在する周波数では望ましくない。これは、ＡＷＳ周波数帯域の１つがＰＣＳ  ＵＬ帯域とＤＬ帯域の両方より下であり、他のＡＷＳ周波数帯域はＰＣＳ帯域より上であるからである。この問題により、混在する周波数を有するデュアルバンド無線機は、一般的には、２つのアンテナを使用する。しかしながら、１つのデバイス上の２つのアンテナは、サイズおよび重みの制約のために望ましくない可能性がある。さらに、いくつかの無線標準は、受信信号の空間ダイバーシティを提供するために、２つのアンテナを必要とし、このことは、デバイスが４つのアンテナを有することを意味する。
【００２７】
[0034]  図４を参照すると、混在する周波数帯域とともに使用するＦＤ多重化デバイス４００は、第１の無線機４０５と、第２の無線機４１０と、ＦＤデュプレクサ４２０と、送信フィルタ４１５と、受信フィルタ４２５と、マルチプレクサ４３０とを含む。多重化デバイス４００の構成要素４０５、４１０、４１５、４２０、４２５および４３０は、プロセッサ、ファームウェア、ハードウェア（手動制御を含む）、固定論理回路、またはそれらの任意の組合せによって実行されるソフトウェアを含み得る。
【００２８】
[0035]  第１の無線機４０５および第２の無線機４１０の周波数帯域は、混在する。たとえば、第１の無線機４０５は、１８５０ＭＨｚから１９１０ＭＨｚの範囲内の第１のＵＬ帯域、および１９３０ＭＨｚから１９９０ＭＨｚの範囲内の第１のＤＬ帯域を有するＰＣＳ帯域を使用することができ、第２の無線機４１０は、１７１０ＭＨｚから１７５５ＭＨｚの範囲内の第１の部分（ここでは第２のＵＬ帯域）、および２１１０ＭＨｚから２１５５ＭＨｚの範囲内の第２部分（ここでは第２のＤＬ帯域）を有するＡＷＳ帯域を使用することができる。
【００２９】
[0036]  図５も参照すると、多重化デバイス４００の様々なフィルタ構成要素のオーバーレイする周波数応答の一例が示される。ＦＤデュプレクサ４２０は、第１のＵＬ帯域（ＵＬ１と標示される中心周波数を有する、本明細書ではＵＬ１帯域と呼ぶ帯域）外の第１の送信信号を大幅に減衰させる第１の送信フィルタプロファイル５１２で、第１の無線機４０５の送信機４１２からの第１のＵＬ帯域内の第１の送信信号をフィルタ処理する。フィルタ処理された第１の送信信号は、アンテナ４３５を介した送信のためにマルチプレクサ４３０に伝達される。
【００３０】
[0037]  ＦＤデュプレクサ４２０は、マルチプレクサ４３０から第１のＤＬ帯域内の第１の受信信号を受信する。ＦＤデュプレクサ４２０は、第１のＤＬ帯域（ＤＬ１と標示される中心周波数を有する、本明細書ではＤＬ１帯域と呼ぶ帯域）外の周波数の第１の受信信号を大幅に減衰させる第１の受信フィルタプロファイル５１４で第１の受信信号をフィルタ処理する。フィルタ処理された第１の受信信号は、復調のために第１の無線機４０５の第１の受信機４１４に伝達される。
【００３１】
[0038]  第１の送信フィルタプロファイル５１２および第１の受信フィルタプロファイル５１４は、理想的には、矩形の形状のバンドパスフィルタとして示されているが、実際のプロファイルは、他の形状とすることができる。第１の送信フィルタプロファイル５１２は、ＤＬ１帯域内の周波数の信号の振幅、第２のＤＬ帯域内の周波数の信号の振幅（中心周波数ＵＬ２を有し、本明細書ではＵＬ２帯域と呼ぶ帯域）、および第２のＤＬ帯域内の周波数の信号の振幅（中心周波数ＤＬ２を有し、本明細書ではＤＬ２帯域と呼ぶ帯域）が約２０ｄＢから約８０ｄＢまで減衰されるように、ＵＬ１帯域外の送信機４１２からの送信信号を減衰させるように構成され得る。同様に、第１の受信フィルタプロファイル５１４は、ＵＬ１帯域内の周波数の信号の振幅、およびＵＬ２帯域およびＤＬ２帯域内の周波数の信号の振幅が約２０ｄＢから約８０ｄＢまで減衰するように、ＤＬ１帯域外のマルチプレクサ４３０からの受信信号を減衰させるように構成され得る。
【００３２】
[0039]  送信フィルタ４１５は、ＵＬ２帯域外の周波数の第２の送信機４０７からの第２の送信信号を大幅に減衰させる第２の送信フィルタプロファイル５０７で第２の無線機４１０の第２の送信機４０７からの第２の送信信号をフィルタ処理する。フィルタ処理された第２の送信信号は、アンテナ４３５を介した送信のためにマルチプレクサ４３０に伝達される。
【００３３】
[0040]  受信フィルタ４２５は、第２の受信帯域（ＤＬ２と標示された中心周波数を有する、本明細書ではＤＬ２帯域と呼ぶ帯域）外の周波数の第２の受信信号を大幅に減衰させる第２の受信フィルタプロファイル５０９でマルチプレクサ４３０から受信された第２の受信信号をフィルタ処理する。フィルタ処理された第２の受信信号は、復調のために第２の無線機４１０の第２の受信機４０９に伝達される。
【００３４】
[0041]  第２の送信フィルタプロファイル５０７および第２の受信フィルタプロファイル５０９は、矩形の形状の理想的なバンドパスフィルタとして示されている。しかしながら、第２の送信フィルタプロファイル５０７は、ＵＬ２帯域よりも下の周波数の信号を大幅に減衰させないローパスフィルタであり得る。同様に、第２の受信フィルタ５０９は、ＵＬ２帯域よりも上の周波数の信号を大幅に減衰させないハイパスフィルタであり得る。いずれの場合も、第２の送信および受信フィルタプロファイル５０７および５０９は、約２０ｄＢから約８０ｄＢだけＵＬ１およびＤＬ１帯域内の周波数の信号の振幅を減衰させるように構成され得る。
【００３５】
[0042]  マルチプレクサ４３０は、３つのフィルタプロファイルと、ローパスフィルタプロファイル５１５と、バンドパスフィルタプロファイル５２０と、ハイパスフィルタプロファイル５２５とを含む。ローパスフィルタプロファイル５１５は、送信フィルタ４１５および第２の送信機４０７から受信される第２の送信信号をフィルタ処理する送信フィルタである。バンドパスフィルタプロファイル５２０は、第１のＦＤデュプレクサ４２０から受信される第１の送信信号と、アンテナ４３５から受信される第１の受信信号の両方をフィルタ処理する。ハイパスフィルタプロファイル５２５は、アンテナ４３５から受信され、第２の受信機４０９に供給される第２の受信信号をフィルタ処理するために使用される。
【００３６】
[0043]  マルチプレクサ４３０は、アンテナ４３５を介して複合信号を受信および送信するために、アンテナ４３５に通信可能に結合される。バンドパスフィルタプロファイル５２０は、本実施形態ではＵＬ１およびＤＬ１の周波数帯域を含む、パスバンド内の周波数の信号を実質的に非減衰で通過させるように構成される。また、バンドパスフィルタプロファイル５２０は、ＤＬ２およびＵＬ２の帯域の、ならびに本実施形態以外の部分を含む、パスバンド外の周波数の信号を減衰させるように構成される。ローパスフィルタプロファイル５１５およびハイパスフィルタプロファイル５２５は、バンドストップフィルタを形成するために結合する。フィルタプロファイル５１５および５２５を結合することによって形成されるバンドストップフィルタは、ＵＬ１およびＤＬ１の帯域の少なくとも一部分を含めて、パスバンドの少なくとも一部分における周波数の信号を減衰させ、パスバンド外の周波数の信号を実質的に非減衰で通過させるように構成される。
【００３７】
[0044]  マルチプレクサ４３０のフィルタプロファイル５１５、５２０および５２５は、ＦＤデュプレクサ４２０、送信フィルタ４１５、および受信フィルタ４２５のフィルタプロファイル５０７、５０９、５１２、および５１４と比較して、あまり厳しくない減衰要件を有する。たとえば、フィルタプロファイル５１５、５２０、および５２５は、他の受信および送信周波数帯域において約１０ｄＢから約２０ｄＢだけ対応する送信および／または受信信号を減衰させるように構成され得る。ＦＤデュプレクサ４２０、送信フィルタ４１５、および受信フィルタ４２５のフィルタは、振幅減衰に関する大部分のフィルタリングを行う。マルチプレクサ４３０は、マルチＲＦパス（たとえば、この場合、無線１ＵＬ／ＤＬパス、無線２ＵＬパスおよび無線２ＤＬパス）を単一のパス（たとえば、この場合、アンテナポート）に結合することができ、比較的高電力の第１および第２の送信信号が受信および／または送信回路にフィードバックするのを防ぐための機能を実行する。これは、アンテナ４３５にパスのインピーダンスと比較して高いインピーダンスパスを受信および送信回路に供給することによって行われる。
【００３８】
[0045]  ＦＤ多重化デバイス４００では、マルチプレクサ４３０は、トリプレクサ（triplexer）とすることができる。他の高次マルチプレクサは、混在する周波数を有する３つ以上の無線機が単一アンテナを通じて同時に送信および受信できるように使用され得る。たとえば、クワドリプレクサ（quadriplexer）を、３つの無線機との組合せで使用することができる。
【００３９】
[0046]  図６を参照すると、ＦＤ多重化デバイス４００などの周波数分割多重化デバイスでの信号処理のためのプロセス６００のフローチャートは、示される段階（stage）を含む。プロセス６００は、例にすぎず、限定的なものではない。プロセス６００は、たとえば、示される段階を追加、削除、または再構成することによって修正され得る。
【００４０】
[0047]  プロセス６００は、図６の破線の左側に段階６１５〜６３５を含む受信（ＲＸ）セクション６１０、および破線の右側に段階６５５〜６７５を含む送信（ＴＸ）セクション６５０の２つのメインセクションに分割される。段階６４０がそれぞれＲＸおよびＴＸの信号処理セクション６１０および６５０に同時に作用する機能を含むので、段階６４０は、ＲＸセクション６１０とＴＸセクション６５０の両方に含まれる。プロセス６００について、図４の構成要素、ならびに図５の混在する周波数帯域およびフィルタプロファイル（filter profile）に関して説明する。
【００４１】
[0048]  段階６１５で、アンテナ４３５は、複合信号を受信する。複合信号は、ＤＬ１帯域およびＤＬ２帯域における受信信号を含む。段階６２０で、アンテナ４３５は、段階６１５で受信された複合信号を、入力ポート（図示せず）を介してマルチプレクサ４３０に伝達する。
【００４２】
[0049]  段階６４０で、マルチプレクサ４３０は、上記で説明したフィルタプロファイル５１５、５２０、および５２５を使用して、受信された複合信号をフィルタ処理する。フィルタプロファイル５２０、バンドパスフィルタは、ＵＬ２およびＤＬ２の帯域内の周波数の信号を少なくとも部分的に減衰させることによって、ＵＬ１およびＤＬ１の帯域を分離するために、複合信号をフィルタ処理するために使用される。バンドストップフィルタをともに形成するフィルタプロファイル５１５および５２５は、ＵＬ１およびＤＬ１の帯域内の信号を少なくとも部分的に減衰させることによって、ＵＬ２およびＤＬ２の帯域を分離するために、複合信号をフィルタ処理する。ＤＬ１帯域とＤＬ２帯域とを含むフィルタ処理された複合信号は、段階６２５で、それぞれＦＤデュプレクサ４２０中に含まれる第１の受信フィルタ、および第２の受信フィルタ４２５に伝達される。
【００４３】
[0050]  段階６３０で、ＦＤデュプレクサ４２０の第１の受信フィルタは、第１の受信フィルタプロファイル５１４を使用して、ＤＬ１帯域内の第１の受信信号を含むフィルタ処理された複合信号の部分をフィルタ処理する。第１の受信フィルタプロファイル５１４は、ＤＬ１帯域内の第１の受信信号をさらに分離するために、ＤＬ１帯域外の周波数の信号をさらに減衰させる。ＦＤデュプレクサ４２０の第１の受信フィルタは、復調される第１の無線機４０５の第１の受信機４１４に、ＤＬ１帯域内のフィルタ処理された第１の受信信号を伝達する。いくつかの実施形態では、第１の受信フィルタは、ＦＤデュプレクサ４２０の一部ではない個別のフィルタとすることができる。
【００４４】
[0051]  段階６３５で、第２の受信フィルタ４２５は、第２の受信フィルタプロファイル５０９を使用して、ＤＬ２帯域を含むフィルタ処理された複合信号の部分をフィルタ処理する。第２の受信フィルタプロファイル５０９は、ＤＬ２帯域内の第２の受信信号をさらに分離するために、ＤＬ２帯域外の周波数の信号をさらに減衰させる。第２の受信フィルタ４２５は、復調のために第２の無線機４１０の第２の受信機４０９に、フィルタ処理された第２の受信信号を伝達する。段階６３０および６３５のフィルタ処理を完了すると、第１および第２のフィルタ処理された受信信号は、それぞれ、復調のために第１の無線機４０５および第２の無線機４１０に伝達される。
【００４５】
[0052]  段階６５５で、ＦＤデュプレクサ４２０の第１の送信フィルタは、第１の無線機４０５の第１の送信機４１２から、ＵＬ１帯域内の第１の送信信号を受信する。ＦＤデュプレクサ４２０の第１の送信フィルタは、ＵＬ１帯域外の周波数の信号を減衰させるために、第１の送信フィルタプロファイル５１２で第１の送信信号をフィルタ処理する。段階６６５で、ＦＤデュプレクサ４２０の第１の送信フィルタは、アンテナ４３５を介して送信するために、マルチプレクサ４３０に、フィルタ処理された第１の送信信号を伝達する。
【００４６】
[0053]  段階６６０で、第２の送信フィルタ４１５は、第２の無線機４１０の第２の送信機４０７から、ＵＬ２帯域内の第２の送信信号を受信する。第２の送信フィルタ４１５は、ＵＬ２帯域外の周波数の信号を減衰させるために、第２の送信フィルタプロファイル５０７で第２の送信信号をフィルタ処理する。段階６７０で、第２の送信フィルタ４１５は、アンテナ４３５を介して送信するために、マルチプレクサ４３０に、フィルタ処理された第２の送信信号を伝達する。
【００４７】
[0054]  段階６４０で、マルチプレクサ４３０は、上記で説明したフィルタプロファイル５１５、５２０、および５２５を使用して、ＵＬ１およびＵＬ２の帯域内の第１および第２の送信信号をフィルタ処理する。フィルタプロファイル５２０、バンドパスフィルタは、パスバンド外の周波数の信号を減衰させるために、ＵＬ１帯域内の第１の送信信号をフィルタ処理する。バンドストップフィルタを形成するフィルタプロファイル５１５および５２５は、ＵＬ２帯域内の第２の送信信号をフィルタ処理するために使用される。マルチプレクサ４３０は、ＵＬ１帯域内の第１の送信信号と、ＵＬ２帯域内の第２の送信信号とを含む複合送信信号を形成するために、フィルタ処理された第１および第２の送信信号を結合する。フィルタ処理された複合信号は、段階６７５で送信のためにアンテナ４３５に伝達される。
【００４８】
[0055]  図７を参照すると、混在する周波数帯域とともに使用するＦＤ多重化デバイス７００は、第１の無線機７０５と、第２の無線機７１０と、ＦＤデュプレクサ７２０と、送信フィルタ７１５と、受信フィルタ７２５と、マルチプレクサ７３０と、ＦＤダイプレクサ７４５とを含む。ＦＤダイプレクサ７４５は、アンテナ７３５から離間した空間的ダイバースアンテナ（spatially diverse antenna）７５０に結合される。多重化デバイス７００の構成要素７０５、７１０、７１５、７２０、７２５、７３０、７４５、および７５０は、プロセッサ、ファームウェア、ハードウェア（手動制御を含む）、固定論理回路、またはそれらの任意の組合せによって実行されるソフトウェアを含み得る。
【００４９】
[0056]  構成要素７０５、７１０、７１５、７２０、７２５、７３０、および７３５は、図４に関して上記で説明したＦＤ多重化デバイス４００の構成要素４０５、４１０、４１５、４２０、４２５、４３０、および４３５と類似する。空間的ダイバースアンテナ７５０は、第１および第２の受信機７１４および７０９がそれぞれ、空間的ダイバースの受信信号を、アンテナ７３５を介して受信される信号と結合できるようにすることによって、受信性能を向上させる受信専用アンテナである。
【００５０】
[0057]  ＦＤダイプレクサ７４５は、ＤＬ１およびＤＬ２の周波数帯域内の受信信号を分離するためにハイパス／ローパスフィルタを提供するように構成される安価なセラミックフィルタパッケージとすることができる。ＦＤダイプレクサ７４５は、それぞれ第１および第２の受信フィルタ７５５および７６０に結合される。受信フィルタ７５５および７６０は、マルチプレクサ４３０に含まれる受信フィルタおよび受信フィルタ４２５に類似の形状を有する（図５のフィルタプロファイル５１４を参照）。受信フィルタ７５５および７６０は、ＳＡＷおよび／またはＦＢＡＲフィルタとすることができる。第１の受信フィルタ７５５は、ＤＬ１帯域内の第１の受信信号をＤＬ２帯域内の第２の受信信号から分離し、第２の受信フィルタ７６０は、ＤＬ２帯域内の第２の信号をＤＬ１帯域内の第１の受信信号から分離する。第１の受信フィルタ７５５は、ＤＬ１帯域内のフィルタ処理された信号を第１の無線機７０５の第１の受信機７１４に伝達し、第２の受信フィルタ７６０は、ＤＬ２帯域内の第２の受信信号を第２の無線機７１０の第２の受信機７０９に伝達する。受信機７１４および７０９は、フィルタ処理された空間的ダイバースの信号をマルチプレクサ７３０で受信される信号と結合する。
【００５１】
[0058]  図８を参照すると、ＦＤ多重化デバイス７００などの周波数分割多重化デバイスでの信号処理のためのプロセス８００のフローチャートは、示される段階を含む。プロセス８００は、例にすぎず、限定的なものではない。プロセス８００は、たとえば、示される段階を追加、削除、または再構成することによって修正され得る。
【００５２】
[0059]  上記で説明したプロセス６００は、アンテナ７３５を介して受信および送信された信号を処理する際にＦＤ多重化デバイス７００によって使用することができる。プロセス８００は、空間的ダイバースアンテナ７５０を介して受信される信号を処理するために使用される。
【００５３】
[0060]  段階８０５で、空間的ダイバースアンテナ７５０は、アンテナ７３５を介して受信される複合信号から空間的ダイバースな別の複合信号を受信する。段階８１０で、空間的ダイバースの複合信号は、ＦＤダイプレクサ７４５に伝達される。段階８１５で、第１の受信フィルタ７５５は、ＤＬ１帯域内の空間的ダイバースの第１の受信信号を分離するために、空間的ダイバースの複合信号をフィルタ処理し、第２の受信フィルタ７６０は、ＤＬ２帯域内の空間的ダイバースの第２の受信信号を分離するために、空間的ダイバースの複合信号をフィルタ処理する。段階８２０で、それぞれＤＬ１およびＤＬ２の帯域内のフィルタ処理された空間的ダイバースの第１および第２の受信信号は、それぞれ第１および第２の受信機７１４および７０９に伝達される。第１および第２の受信機７１４および７０９はそれぞれ、ＤＬ１およびＤＬ２の帯域内の空間的ダイバースの受信信号を復調し、復調信号を第１および第２の受信信号と結合する。空間的ダイバースの信号を、アンテナ７３５を介して受信される信号と結合する既知の方法は、コヒーレント合成（coherent combining）および／または最大比合成（maximal ratio combining）を含む。
【００５４】
[0061]  本明細書で説明する方法は、適用例に応じて様々な手段によって実装されてもよい。たとえば、これらの方法は、ハードウェア、ファームウェア、プロセッサによって実行されるソフトウェア、またはそれらの組合せで実装できる。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの中で実装され得る。
【００５５】
[0062]  ファームウェアおよび／またはソフトウェア実装の場合、本方法は、本明細書で説明した機能を実行するモジュール（たとえば、プロシージャ、関数など）を用いて実装されてもよい。命令を有形に実施するいずれの機械可読媒体も、本明細書で説明する方法の実装において使用できる。たとえば、ソフトウェアコードは、メモリに記憶され、または場合によっては符号化され、プロセッサによって実行され得る。メモリは、プロセッサの内部またはプロセッサの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。
【００５６】
[0063]  １つまたは複数の例示的な実施形態では、説明した機能を、ハードウェア、プロセッサによって実行されるソフトウェア、ファームウェア、またはそれらの組合せで実装することができ得る。ソフトウェアで実装する場合、機能は、１つまたは複数の命令またはコードとしてコンピュータ可読媒体上に記憶することができる。コンピュータ可読媒体は物理的コンピュータ記憶媒体を含む。送信媒体は、物理伝送媒体を含む。記憶媒体は、コンピュータによってアクセスできる任意の利用可能な媒体でよい。限定ではなく、例として、そのようなコンピュータ可読媒体は、ＲＡＭ、ＲＯＭ、ＥＥＰＲＯＭ、ＣＤ−ＲＯＭもしくは他の光ディスク（disk）ストレージ、磁気ディスク（disk）ストレージもしくは他の磁気ストレージデバイス、または、命令もしくはデータ構造の形態で所望のプログラムコードを記憶するために使用され、コンピュータによってアクセスされ得る任意の他の媒体を備えてよく、本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００５７】
[0064]  方法またはプロセスにおける様々なステップまたは行為は、示された順序で実行されてもよく、または別の順序で実行されてもよい。さらに、１つまたは複数のプロセスまたは方法ステップが省略されてもよく、または１つまたは複数のプロセスまたは方法ステップが方法およびプロセスに追加されてもよい。追加のステップ、ブロック、またはアクションは、方法およびプロセスの開始、終了、または介在する既存の要素に追加されてもよい。
【００５８】
[0065]  開示した実施形態の上記の説明は、当業者が本開示を作成または使用できるように与えられるものである。これらの実施形態への様々な修正は当業者には容易に明らかであり、本明細書で定義した一般原理は、本開示の範囲から逸脱することなく他の実施形態に適用されてもよい。したがって、本開示は、本明細書で示した実施形態に限定されるものではなく、本明細書で開示した原理および新規の特徴に合致する最も広い範囲を与えられるべきである。
以下に、出願当初の特許請求の範囲に記載された発明を付記する。
［Ｃ１］
バンドパスフィルタとバンドストップフィルタとを備えたマルチプレクサであって、前記マルチプレクサはアンテナに通信可能に結合されるように構成され、前記バンドパスフィルタが、パスバンド内の周波数の信号を非減衰で通過させ、前記パスバンド外の周波数の信号を減衰させるように構成され、前記バンドストップフィルタが、前記パスバンドの少なくとも一部分における周波数の信号を減衰させ、前記パスバンド外の周波数を非減衰で通過させるように構成される、マルチプレクサと、
第１の受信帯域内の第１の受信信号を受信し、前記第１の受信帯域とは異なる第２の受信帯域内の第２の受信信号を受信するために、前記マルチプレクサに通信可能に結合された第１および第２の受信フィルタであって、前記第１および第２の受信フィルタは前記第１および第２の受信帯域外の周波数の信号を減衰させるように構成される、第１および第２の受信フィルタと、
前記マルチプレクサに通信可能に結合され、第１の送信帯域外の周波数の信号を減衰させるために前記第１の送信帯域内の第１の送信信号をフィルタ処理し、第２の送信帯域外の周波数の信号を減衰させるために前記第１の送信帯域とは異なる前記第２の送信帯域内の第２の送信信号をフィルタ処理し、前記第１および第２の送信信号が前記アンテナを介して送信されるように前記第１および第２のフィルタ処理された信号を前記マルチプレクサに結合するように構成される、第１および第２の送信フィルタと
を備え、
前記第１の受信帯域および前記第１の送信帯域の少なくとも１つが前記パスバンドに位置し、前記第２の受信帯域と前記第２の送信帯域との間に混在する
周波数分割（ＦＤ）多重化デバイス。
［Ｃ２］
前記第１の送信フィルタおよび前記第１の受信フィルタがデュプレクサに含まれる、Ｃ１に記載のＦＤ多重化デバイス。
［Ｃ３］
前記第１の受信帯域および前記第１の送信帯域が、前記マルチプレクサの前記バンドパスフィルタの前記パスバンド内にある、Ｃ２に記載のＦＤ多重化デバイス。
［Ｃ４］
前記第１および第２の送信フィルタに通信可能に結合され、前記第１および第２の送信信号をそれぞれ前記第１および第２の送信フィルタに結合するように構成される、第１および第２の送信機と、
前記第１および第２の受信フィルタに通信可能に結合され、前記第１および第２の受信フィルタから、それぞれ前記第１および第２のフィルタ処理された受信信号を受信するように構成される、第１および第２の受信機と
をさらに備えるＣ１に記載のＦＤ多重化デバイス。
［Ｃ５］
前記アンテナから離間した空間ダイバーシティアンテナに結合されたＦＤダイプレクサと、
前記ＦＤダイプレクサに結合された第３および第４の受信フィルタであって、前記第３および第４の受信フィルタは前記空間ダイバーシティアンテナから前記第１および第２の受信信号の空間的ダイバースのバージョンを受信し、前記第１および第２の受信帯域外の周波数の信号をそれぞれ減衰させ、前記第１および第２の受信信号の前記フィルタ処理された空間的ダイバースのバージョンをそれぞれ前記第１および第２の受信機に結合するように構成される、第３および第４の受信フィルタと
をさらに備えるＣ４に記載のＦＤ多重化デバイス。
［Ｃ６］
前記第１および第２の受信フィルタならびに前記第１および第２の送信フィルタがバンドパスフィルタである、Ｃ１に記載のＦＤ多重化デバイス。
［Ｃ７］
周波数分割（ＦＤ）多重化の方法であって、
アンテナに通信可能に結合されるように構成される第１の入力を介して複合信号を受信することと、
第１の送信帯域外の周波数の信号を減衰させるために、前記第１の送信帯域内の第１の送信信号をフィルタ処理することと、
第２の送信帯域外の周波数の信号を減衰させるために、前記第１の送信帯域とは異なる前記第２の送信帯域内の第２の送信信号をフィルタ処理することと、
前記複合信号ならびに前記第１および第２のフィルタ処理された送信信号をマルチプレクサに結合することと、
前記複合信号ならびに前記第１および第２のフィルタ処理された送信信号を前記マルチプレクサでマルチプレクサフィルタ処理することであって、
パスバンド内の周波数を非減衰で通過させ、前記パスバンド外の周波数の信号を減衰させるためにバンドパスフィルタ処理することと、
前記パスバンドの少なくとも一部分における周波数の信号を減衰させ、前記パスバンド外の周波数を非減衰で通過させるためにバンドストップフィルタ処理することと
を備えるマルチプレクサフィルタ処理することと、
前記第１および第２の送信信号が前記アンテナを介して送信されるように、前記マルチプレクサフィルタ処理された第１および第２の送信信号を出力に結合することと、
前記マルチプレクサフィルタ処理された複合信号の第１の部分を第１の受信フィルタに結合することであって、前記第１の部分は第１の受信帯域内の第１の受信信号を備え、前記第１の受信フィルタは前記第１の受信帯域外の周波数の信号を減衰させるように構成される、第１の受信フィルタに結合することと、
前記マルチプレクサフィルタ処理された複合信号の第２の部分を第２の受信フィルタに結合することであって、前記第２の部分は前記第１の受信帯域とは異なる第２の受信帯域内の第２の受信信号を備え、前記第２の受信フィルタは前記第２の受信帯域外の周波数の信号を減衰させるように構成される、第２の受信フィルタに結合することと
を備え、前記第１の受信帯域および前記第１の送信帯域の少なくとも１つが前記パスバンドに位置し、前記第２の受信帯域と前記第２の送信帯域との間に混在する
周波数分割（ＦＤ）多重化の方法。
［Ｃ８］
前記第１の送信フィルタおよび前記第１の受信フィルタがデュプレクサに含まれる、Ｃ７に記載の方法。
［Ｃ９］
前記第１の受信帯域および前記第１の送信帯域が前記パスバンド内にある、Ｃ７に記載の方法。
［Ｃ１０］
第１の送信機から前記第１の送信フィルタで前記第１の送信信号を受信することと、
前記第１の送信機とは別個の第２の送信機から前記第２の送信フィルタで前記第２の送信信号を受信することと、
前記第１の受信フィルタでフィルタ処理した後、前記第１の受信フィルタからの前記第１の受信信号を第１の受信機に結合することと、
前記第２の受信フィルタでフィルタ処理した後、前記第２の受信フィルタからの前記第２の受信信号を第２の受信機に結合することと
をさらに備えるＣ７に記載の方法。
［Ｃ１１］
前記アンテナから離間した空間ダイバーシティアンテナに通信可能に結合されるように構成される第２の入力を介して別の複合信号を受信することと、
第３および第４の受信フィルタを含むＦＤダイプレクサに前記別の複合信号を結合することと、
前記第１および第２の受信帯域外の周波数の信号をそれぞれ減衰させるために、前記第３および第４の受信フィルタで前記別の複合信号をフィルタ処理することと、
前記第１および第２の受信帯域内の前記フィルタ処理された信号を、それぞれ前記第１および第２の受信機に結合することと
をさらに備えるＣ１０に記載の方法。
［Ｃ１２］
前記第１および第２の受信フィルタならびに前記第１および第２の送信フィルタがバンドパスフィルタである、Ｃ７に記載の方法。
［Ｃ１３］
前記第１の受信フィルタで前記第１の部分をフィルタ処理することと、
前記第２の受信フィルタで前記第２の部分をフィルタ処理することと
をさらに備えるＣ７に記載の方法。
［Ｃ１４］
周波数分割（ＦＤ）多重化のための装置であって、
アンテナから信号を受信するための手段と、
第１の送信帯域外の周波数の信号を減衰させるために、前記第１の送信帯域内の第１の送信信号をフィルタ処理するための第１の送信フィルタ手段と、
第２の送信帯域外の周波数の信号を減衰させるために、前記第１の送信帯域とは異なる前記第２の送信帯域内の第２の送信信号をフィルタ処理するための第２の送信フィルタ手段と、
前記アンテナから受信された複合信号をフィルタ処理し、前記第１および第２の送信信号が前記アンテナを介して送信されるように、前記第１および第２のフィルタ処理された送信信号をフィルタ処理するための多重化フィルタ手段であって、前記多重化フィルタ手段は、
パスバンド内の周波数を非減衰で通過させ、前記パスバンド外の周波数を減衰させるためのバンドパスフィルタ手段と、
前記パスバンドの少なくとも一部分における周波数を減衰させ、前記パスバンド外の周波数を非減衰で通過させるためのバンドストップフィルタ手段と
を備える、多重化フィルタ手段と、
前記マルチプレクサフィルタ処理された複合信号の第１の部分をフィルタ処理するための第１の受信フィルタ手段であって、前記第１の部分は第１の受信帯域内の第１の受信信号を備え、前記第１の受信フィルタ手段は前記第１の受信帯域外の周波数の信号を減衰させるように構成される、第１の受信フィルタ手段と、
前記マルチプレクサフィルタ処理された複合信号の第２の部分をフィルタ処理するための第２の受信フィルタ手段であって、前記第２の部分は前記第１の受信帯域とは異なる第２の受信帯域内の第２の受信信号を備える、前記第２の受信フィルタ手段は前記第２の受信帯域外の周波数の信号を減衰させるように構成される、第２の受信フィルタ手段と
を備え、前記第１の受信帯域および前記第１の送信帯域の少なくとも１つが前記パスバンドに位置し、前記第２の受信帯域と前記第２の送信帯域との間に混在する
周波数分割（ＦＤ）多重化のための装置。
［Ｃ１５］
前記受信手段が入力を備える、Ｃ１４に記載の装置。
［Ｃ１６］
前記第１および第２の送信フィルタ手段の各々が、バンドパスフィルタ、ローパスフィルタ、またはハイパスフィルタのうちの少なくとも１つを備える、Ｃ１４に記載の装置。
［Ｃ１７］
前記多重化フィルタ手段がトリプレクサを備える、Ｃ１４に記載の装置。
［Ｃ１８］
前記第１および第２の受信フィルタ手段の各々が、バンドパスフィルタ、ローパスフィルタ、またはハイパスフィルタのうちの少なくとも１つを備える、Ｃ１４に記載の装置。
［Ｃ１９］
前記第１および第２の受信フィルタ手段が、前記第１および第２の部分をそれぞれ第１および第２の受信機に結合し、前記装置が、
前記アンテナから離間した空間ダイバーシティアンテナを介して別の複合信号を受信するための手段と、
前記第１および第２の受信帯域外の周波数の信号を減衰させるために前記別の複合信号をフィルタ処理するための手段と、
前記第１および第２の受信帯域内の前記フィルタ処理された信号を、それぞれ前記第１および第２の受信機に結合するための手段と
をさらに備える、Ｃ１４に記載の装置。
［Ｃ２０］
プロセッサ可読命令を記憶したプロセッサ可読媒体を備えた、コンピュータプログラム製品であって、
前記プロセッサ可読命令が、プロセッサに、
複合信号を受信することと、
第１の送信帯域外の周波数の信号を減衰させるために、前記第１の送信帯域内の第１の送信信号をフィルタ処理することと、
第２の送信帯域外の周波数の信号を減衰させるために、前記第１の送信帯域とは異なる前記第２の送信帯域内の第２の送信信号をフィルタ処理することと、
前記複合信号ならびに前記第１および第２のフィルタ処理された送信信号をマルチプレクサでマルチプレクサフィルタ処理することであって、前記マルチプレクサが、
パスバンドの周波数の信号を非減衰で通過させ、前記パスバンド外の周波数の信号を減衰させるためにバンドパスフィルタ処理し、
阻止帯域の少なくとも一部分における周波数の信号を減衰させ、前記阻止帯域外の周波数の信号を非減衰で通過させるためにバンドストップフィルタ処理するように構成されることと、
前記第１および第２の送信信号が前記アンテナを介して送信されるように、前記マルチプレクサフィルタ処理された第１および第２の送信信号を出力に伝達することと、
前記マルチプレクサフィルタ処理された複合信号の第１の部分を第１の受信フィルタに伝達することであって、前記第１の部分は第１の受信帯域内の第１の受信信号を備え、前記第１の受信フィルタは前記第１の受信帯域外の周波数の信号を減衰させるように構成される、第１の受信フィルタに伝達することと、
前記マルチプレクサフィルタ処理された複合信号の第２の部分を第２の受信フィルタに伝達することであって、第２の部分は前記第１の受信帯域とは異なる第２の受信帯域内の第２の受信信号を備え、前記第２の受信フィルタは前記第２の受信帯域外の周波数の信号を減衰させるように構成される、第２の受信フィルタに伝達することと
を行わせるように構成され、
前記第１の受信帯域および前記第１の送信帯域の少なくとも１つが前記パスバンドに位置し、前記第２の受信帯域と前記第２の送信帯域との間に混在する、
コンピュータプログラム製品。
［Ｃ２１］
前記第１の受信帯域および前記第１の送信帯域がマルチプレクサの前記パスバンド内にある、Ｃ２０に記載のコンピュータプログラム製品。
［Ｃ２２］
前記命令が、前記プロセッサに、
第１の送信機から前記第１の送信信号を受信させることと、
前記第１の送信機とは別個の第２の送信機から前記第２の送信信号を受信させることと、
前記第１の受信フィルタでフィルタ処理した後、前記第１の受信信号を第１の受信機に伝達させることと、
前記第２の受信フィルタでフィルタ処理した後、前記第２の受信フィルタからの前記第２の受信信号を第２の受信機に伝達させることと
を行わせるように構成される、Ｃ２０に記載のコンピュータプログラム製品。
［Ｃ２３］
前記命令が、前記プロセッサに、
前記複合信号に対応する空間的ダイバースの複合信号を受信させることと、
前記第１および第２の受信帯域外の周波数を減衰させるために、第３および第４の受信フィルタで空間的ダイバースの複合信号をフィルタ処理させることと、
前記第１および第２の受信帯域内の前記フィルタ処理された空間的ダイバースの信号を、それぞれ前記第１および第２の受信機に伝達させることと
を行わせるように構成される、Ｃ２２に記載のコンピュータプログラム製品。
［Ｃ２４］
前記第１および第２の受信フィルタならびに前記第１および第２の送信フィルタがバンドパスフィルタである、Ｃ２０に記載のコンピュータプログラム製品。
［Ｃ２５］
前記命令が、前記プロセッサに、
前記第１の受信フィルタで前記第１の部分をフィルタ処理させることと、
前記第２の受信フィルタで前記第２の部分をフィルタ処理させることと
を行わせるように構成される、Ｃ２０に記載のコンピュータプログラム製品。
【図１】
0005855738.tif 000002
【図２】
0005855738.tif 000003
【図３】
0005855738.tif 000004
【図４】
0005855738.tif 000005
【図５】
0005855738.tif 000006
【図６】
0005855738.tif 000007
【図７】
0005855738.tif 000008
【図８】
0005855738.tif 000009